(57)【要約】【課題】これから操作者が使用する機能が調整やキャリブレーションが必要であることを利用者に知らせることができる医用診断装置を提供する。【解決手段】医用診断装置は、撮影手段を含む画像を形成する各要部と、表示手段２７と操作手段とを備えた医用診断装置において、操作手段に割り付けられた機能に係る要部が調整されたとき、その調整の日時を記録する調整日時記録部３３と、所定の操作手段が操作されたとき、その操作された使用日時が調整日時記録部３３で記録された所定の操作手段の最新調整日時から所定の時間経過しているか否かを判断する判断部８０と、時間経過があったと判断された場合に、表示手段に未調整である旨のメッセージを表示させるメッセージ表示制御部２９を備えた。【選択図】図１
2008220396.tif 000002
【特許請求の範囲】
【請求項１】
撮影手段を含む画像を形成する各要部と、表示手段と操作手段とを備えた医用診断装置において、
前記操作手段に割り付けられた機能に係る要部が調整された日時を記録する調整日時記録手段と、
所定の操作手段が操作された日時が前記調整日時記録手段で記録された前記所定の操作手段の最新調整日時から所定の時間経過しているか否かを判断する判断手段と、
所定の時間経過があったと判断された場合に、前記表示手段に未調整である旨のメッセージを表示させるメッセージ表示制御手段を備えたことを特徴とする医用診断装置。
【請求項２】
前記メッセージ表示制御手段は、前記調整日時記録手段で記録された最新の調整日時と、前記所定の操作手段が操作された使用日時を前記表示手段に表示させる調整状況表示制御手段を備えることを特徴とする請求項１記載の医用診断装置。
【請求項３】
撮影手段を含み画像を形成する各要部と、記憶手段と表示手段と入力手段を備え、
あらかじめ前記記憶手段に少なくとも１つの検査条件を含む複数の撮影プランが記憶されており、
前記入力手段から前記撮影プランのうちいずれかを指定して、その撮影プランに従って撮影を行う医用診断装置において、
前記撮影プランごとのキャリブレーション実施日時を記録するキャリブレーション実施日時記録手段と、
所定の撮影プランが設定された日時が前記キャリブレーション実施日時記録手段に記録された前記所定の撮影プランの最新キャリブレーション実施日時から所定の時間経過しているか否かを判断する判断手段と、
所定の時間経過していると判断された場合に、前記表示手段にキャリブレーション未実施である旨のメッセージを表示させるメッセージ表示制御手段を備えたことを特徴とする医用診断装置。
【請求項４】
前記メッセージ表示制御手段は、前記キャリブレーション実施日時記録手段で記録された最新のキャリブレーション実施日時と、所定の撮影プランが設定された日時を前記表示手段に表示させる調整状況表示制御手段を備えることを特徴とする請求項３記載の医用診断装置。
【発明の詳細な説明】
【技術分野】
【０００１】
本発明は医用診断装置に関し、特に、医用診断装置の各機能の調整日時やキャリブレーション実施日時を記録し、調整日時やキャリブレーション実施日時から経過した時間に応じて入力装置の操作時に表示装置に警告等のメッセージを表示する医用診断装置に関する。
【背景技術】
【０００２】
従来、特許文献１に開示されるような医用機器の保守管理方法および保守管理システムが提案されている。その方法とシステムは、医療施設に設置された医用機器に係る条件情報、例えば、稼動状況の情報や利用環境の情報および性能の情報を収集し、収集された条件情報に基づいて、医用機器の保守作業内容を決定し、決定された保守作業内容に関する情報を医用機器の保守担当者に提供する方法とシステムである。その方法とシステムでは、決定された保守作業内容に関する情報は、保守担当者がアクセス可能にＷＥＢサーバに置かれ、通信回線を介して保守担当者の端末に送信され、または、携帯可能な記録媒体に記録されたりする。それにより、保守担当者は、決定された保守作業内容に関する情報を得ることができる。
【特許文献１】特開２００５−１２２７０７号公報
【発明の開示】
【発明が解決しようとする課題】
【０００３】
従来技術においては、医療施設に設置された医用機器における稼動状況の情報や利用環境の情報および性能の情報に基づいて、作業メニューや調達・交換部品等の保守作業内容を決定し、その決定された保守作業内容を、保守担当者に提供するものである。
【０００４】
保守作業には、その医療機器の利用状況に応じて消耗部品を交換したり、調整を行ったりするというものがある。保守作業のうち、調整作業は、その医療施設で使用していない部分については、後回しになる可能性がある。
【０００５】
例えば、医用機器を構成する部品として、検出器などがあるが、これらの部品は動作環境の温度・湿度、経年劣化などで検出器自身が持っている電圧（暗電流）がドリフトしてしまい、この電圧のドリフトが原因で撮影された画像にノイズが発生してしまうことがある。そのため、通常の医用機器では、ドリフトした電圧を補正するために、キャリブレーションを行うための仕組みが用意されている。例えば、Ｘ線ＣＴ装置では、あらかじめ記憶装置に複数の検査条件が撮影プランとして記憶されており、入力装置から複数の撮影プランのうちのいずれかを指定して、その撮影プランに従って撮影が行われるようになっている。そのようなＸ線ＣＴ装置では、キャリブレーションを撮影プランごとに行う必要がある。撮影プランの数は、装置によっては数百のこともあるため、すべての撮影プランに対してキャリブレーションを行うためには、長時間を要する。
【０００６】
そのため、通常は、１日ではすべての撮影プランに対するキャリブレーションが行われず、数日に分けて行われる。その場合、キャリブレーションされていない撮影プランでの撮影が必要となるときも生じる可能性もある。キャリブレーションしていない撮影プランについては、撮影された画像にノイズが発生してしまう可能性がある。
【０００７】
本発明の目的は、上記課題に鑑み、これから操作者が使用する機能が調整やキャリブレーションが必要であることを利用者に知らせることができる医用診断装置を提供することにある。
【課題を解決するための手段】
【０００８】
上記目的を達成するために、請求項１に記載の発明は、撮影手段を含む画像を形成する各要部と、表示手段と操作手段とを備えた医用診断装置において、操作手段に割り付けられた機能に係る要部が調整された日時を記録する調整日時記録手段と、所定の操作手段が操作された日時が調整日時記録手段で記録された所定の操作手段の最新調整日時から所定の時間経過しているか否かを判断する判断手段と、所定の時間経過があったと判断された場合に、表示手段に未調整である旨のメッセージを表示させるメッセージ表示制御手段を備えたことを特徴とする。
【０００９】
また、請求項３に記載の発明は、撮影手段を含み画像を形成する各要部と、記憶手段と表示手段と入力手段を備え、あらかじめ記憶手段に少なくとも１つの検査条件を含む複数の撮影プランが記憶されており、入力手段から撮影プランのうちいずれかを指定して、その撮影プランに従って撮影を行う医用診断装置において、撮影プランごとのキャリブレーション実施日時を記録するキャリブレーション実施日時記録手段と、所定の撮影プランが設定された日時がキャリブレーション実施日時記録手段に記録された所定の撮影プランの最新キャリブレーション実施日時から所定の時間経過しているか否かを判断する判断手段と、所定の時間経過していると判断された場合に、表示手段にキャリブレーション未実施である旨のメッセージを表示させるメッセージ表示制御手段を備えたことを特徴とする。
【発明の効果】
【００１０】
請求項１の本発明によれば、操作手段に割り付けられた機能に係る要部が調整されたとき、その調整の日時を記録する調整日時記録手段と、所定の操作手段が操作されたとき、その操作された使用日時が調整日時記録手段で記録された所定の操作手段の最新調整日時から所定の時間経過しているか否かを判断する判断手段と、時間経過があったと判断された場合に、表示手段に未調整である旨のメッセージを表示させるメッセージ表示制御手段を備えたため、調整日時を記録し、調整日時から経過した時間に応じて操作手段の操作時に表示手段にメッセージを表示することによって、使用することについての警告と、調整が必要であることを利用者に知らせることができる。
また、請求項３の本発明によれば、検査条件ごとのキャリブレーション実施日時を記録するキャリブレーション実施日時記録手段と、所定の検査条件が設定されたとき、その設定された日時がキャリブレーション実施日時記録手段に記録された所定の検査条件の最新キャリブレーション実施日時から所定の時間経過しているか否かを判断する判断手段と、所定の時間経過していると判断された場合に、表示手段にキャリブレーション未実施である旨のメッセージを表示させるメッセージ表示制御手段を備えたため、キャリブレーション実施日時を記録し、調整日時やキャリブレーション実施日時から経過した時間に応じて操作手段の操作時に表示手段にメッセージを表示することによって、使用することについての警告と、キャリブレーションが必要であることを利用者に知らせることができる。
【発明を実施するための最良の形態】
【００１１】
以下に、本発明の好適な実施形態を添付図面に基づいて説明する。
【００１２】
図１は、本発明の実施形態に係る医用診断装置の構成図である。この実施形態では、医用診断装置としてＸ線ＣＴ装置を用いて説明する。Ｘ線ＣＴ装置１０は、架台装置１１と操作コンソール部１２と寝台装置１３とを備えて構成されている。架台装置１１は、高電圧発生装置１４と、Ｘ線源１５と、Ｘ線検出器１６と、データ収集装置１７と、回転架台１８と、架台駆動装置１９と、を備えて構成されている。操作コンソール部１２は、スキャン制御部（制御手段）２０と、前処理部２１と、Ｘ線投影データ記憶部２２と、再構成処理部２３と、画像記憶部２４と、画像処理部２５と、入力装置（入力手段）２６と、表示装置（表示手段）２７と、撮影プラン記憶部２８と、メッセージ表示制御部（メッセージ表示制御手段）２９とを備えて構成されている。
【００１３】
高電圧発生装置１４と、Ｘ線源１５と、Ｘ線検出器１６と、データ収集装置１７とによって、請求項１または３で記載された撮影手段が形成される。また、請求項１または３で記載された撮影手段を含む画像を形成する各要部は、高電圧発生装置１４と、Ｘ線源１５と、Ｘ線検出器１６と、データ収集装置１７と、回転架台１８と、架台駆動装置１９と、スキャン制御部（制御手段）２０と、前処理部２１と、Ｘ線投影データ記憶部２２と、再構成処理部２３と、画像記憶部２４と、画像処理部２５である。さらに、Ｘ線投影データ記憶部２２と、画像記憶部２４と、撮影プラン記憶部２８によって、請求項３で記載された記憶手段が形成される。
【００１４】
医用診断装置では、入力装置２６の各操作ボタンや撮影プラン毎に、それらの各操作ボタンや撮影プラン毎に割り付けられている機能に対して定期的に調整やキャリブレーションが必要である。その調整やキャリブレーションの後、時間が経ってしまうと、各操作ボタンや各撮影プランに割り付けられた機能に係る要部での電気的特性のずれ、例えば、Ｘ線検出器１６における電圧のドリフトや、あるいは、機械的な位置ずれ、例えば、Ｘ線源１５の位置ずれや、架台駆動装置１９や寝台駆動部３０の機械的な位置ずれなどが起こり、正確な画像が得られなくなる可能性が生じる。それゆえ、作業員による各操作ボタンや撮影プラン毎で動作する機器の調整が行われる。また、Ｘ線検出器１６の感度のばらつきを補正するために、キャリブレーションが行われる。特に、Ｘ線ＣＴ装置でのキャリブレーションとは、エアーキャリブレーションと水キャリブレーションなどがある。
【００１５】
本発明の医用診断装置では、作業員により調整やキャリブレーションが行われると、入力装置２６から調整実施日時やキャリブレーション実施日時が入力されるようになっている。入力された調整実施日時やキャリブレーション実施日時は、メッセージ表示制御部２９に記憶される。また、操作ボタンが操作されたときや撮影プランが設定されたときは、その操作または設定された日時が記録され、その日時が最新の調整実施日または最新のキャリブレーション実施日時から所定の時間が経過しているときには、調整またはキャリブレーションが行われていないという警告のメッセージを表示装置に表示させる。また、メッセージ表示制御部２９は、入力装置２６からの操作によって表示装置２７に調整実施状況またはキャリブレーション実施状況を表示させる。
【００１６】
以下、理解を容易にするため、［各要部］、［メッセージ表示制御部］、［動作］の順で説明する。
【００１７】
［各要部の説明］
撮影プラン記憶部２８は、各部位の検査条件、例えば、各部位の撮影での撮影手段を駆動する条件である回転速度、スライス幅、およびファン角度等の少なくとも一部が撮影プランとして記憶されている。撮影プランは、操作ボタンに割り付けられている、いわば、撮影するための機能でもある。
【００１８】
スキャン制御部２０は、入力装置２６から入力された撮影プランに従って、撮影プラン記憶部２８に記憶された撮影プランを実行するための回転速度、スライス厚、およびファン角度等を架台・寝台制御信号として架台駆動装置１９および寝台駆動部３０に対して出力する。また、スキャン制御部２０は、Ｘ線ビーム発生を制御するＸ線ビーム発生制御信号を高電圧発生装置１４に対して出力する。さらに、スキャン制御部２０は、Ｘ線ビームの検出のタイミングを示す検出制御信号をデータ収集装置１７に対して出力する。
【００１９】
高電圧発生装置１４は、Ｘ線源１５からＸ線ビームを曝射させるための高電圧をスキャン制御部２０からの制御信号に従ってＸ線源１５に供給する。
【００２０】
Ｘ線源１５は、高電圧発生装置１４から供給された高電圧によってＸ線ビームを曝射する。Ｘ線源１５から曝射されるＸ線ビームは、ファン状やコーン状のビームとなる。
【００２１】
Ｘ線検出器１６は、Ｘ線源１５から曝射され、被検体Ｐを透過したＸ線ビームを検出する。シングルスライスＣＴ装置の場合、Ｘ線検出器１６は、ファン状または直線状に例えば１０００チャンネルのＸ線検出素子を１列に並べて構成されている。また、マルチスライスＣＴ装置の場合、Ｘ線検出器１６は、Ｘ線検出素子を互いに直交する２方向（スライス方向およびチャンネル方向をなす）それぞれにアレイ状に複数個配列され、これにより２次元のＸ線検出器を形成している。
【００２２】
回転架台（ガントリ）１８は、Ｘ線源１５とＸ線検出器１６とを内部に保持する。また、回転架台１８は、架台駆動装置１９により、Ｘ線源１５とＸ線検出器１６との中間点を通る回転軸を中心にして回転させられる。
【００２３】
データ収集装置１７は、Ｘ線検出器１６の各Ｘ線検出素子と同様にアレイ状に配列されたデータ収集素子を有し、Ｘ線検出器１６により検出されたＸ線ビーム（実際には検出信号）を、スキャン制御部２０により出力されたデータ収集制御信号に対応させて収集する。この収集されたデータがＸ線投影データとなる。
【００２４】
回転架台１８が１回転するときに、例えば１０００回Ｘ線投影データを収集し、このＸ線投影データを基に画像再構成する。
【００２５】
架台駆動装置１９は、スキャン制御部２０により出力された架台制御信号に基づいて、回転架台を回転させる。
【００２６】
前処理部２１は、データ収集装置１７から出力されたＸ線投影データに感度補正やＸ線強度補正等を施す。前処理部にて感度補正等の処理が施されたＸ線投影データは、Ｘ線投影データ記憶部２２に一旦記憶される。
【００２７】
再構成処理部２３は、Ｘ線投影データ記憶部２２に記憶されたＸ線投影データを逆投影処理することにより、画像データを再構成する。また、Ｘ線投影データに対して補間処理を行う場合は、３６０度補間法または１８０度補間法等により、目的のスライス位置におけるＸ線投影データを求める。
【００２８】
再構成された画像データは、画像記憶部２４に一旦記憶された後、画像処理部２５に送られる。画像処理部２５は、入力装置２６にて入力された操作者の指示に基づき、画像データを任意断面の断層像、任意方向からの投影像、またはレンダリング処理による３次元画像等の画像データに変換して表示装置２７に出力する。表示装置２７は、画像処理部２５から出力された断層像等をモニタ上に表示する。
【００２９】
［メッセージ表示制御部の説明］
メッセージ表示制御部２９は、入力装置２６を操作したときに、所定の条件を満たす場合に、表示装置２７によってメッセージを表示するように表示装置２７を制御する。
【００３０】
図２は、メッセージ表示制御部のブロック構成図である。メッセージ表示制御部２９は、使用日時記録部（使用日時記録手段）３２と、調整日時記録部（調整日時記録手段）３３と、撮影プラン使用日時記録部（撮影プラン使用日時記録手段）３４と、キャリブレーション実施日時記録部（キャリブレーション実施日時記録手段）３５と、処理部３６と警告表示制御部（警告表示制御手段）３７と、調整状況表示制御部（調整状況表示制御手段）３８と、から構成される。
【００３１】
使用日時記録部３２は、あらかじめ決められたＸ線ＣＴ装置１０の入力装置２６の画面上に表示された操作ボタンに対する操作の実行状況を記録するためのものである。記録する内容としては、操作ボタンの名称、操作ボタンを操作した日時である。この使用日時記録部３２は、入力装置２６の操作ボタンを操作すると、自動的に操作ボタンの名称と操作ボタンの操作日時を記録する。
【００３２】
調整日時記録部３３は、Ｘ線ＣＴ装置１０の調整作業を実施した日時を記録するためのものである。記録する内容は、調整日時、調整者名等である。この調整日時や調整者名は、入力装置２６から人により入力され、調整日時記録部３３に記録される。
【００３３】
撮影プラン使用日時記録部３４は、撮影プランが設定された日時を記録するためのものである。この撮影プラン使用日時記録部３４は、入力装置２６から撮影プランが設定されると、自動的に撮影プランと撮影プランの設定日時を記録する。
【００３４】
キャリブレーション実施日時記録部３５は、キャリブレーション実施日時、操作者などを記録するためのものである。このキャリブレーション実施日時は、入力装置２６から、人により入力され、キャリブレーション実施日時記録部３５に記録される。
【００３５】
処理部３６は、入力装置２６の操作ボタンが操作されたときに、使用日時記録部３２に記録された日時と、調整日時記録部３３に記録されたその操作ボタンの直近の調整日時を読み出し、操作ボタンが操作された日時とその操作ボタンの直近の調整日時との時間差を演算し、その演算された時間差を警告表示制御部３７に出力する。また、処理部３６は、入力装置２６から撮影プランが設定されたときに、撮影プラン使用日時記録部３４に記録された日時と、キャリブレーション実施日時記録部３５に記録されたその撮影プランに対する直近のキャリブレーション実施日時を読み出し、撮影プランが設定された日時とその撮影プランに対する直近のキャリブレーション日時との時間差を演算し、その演算された時間差を警告表示制御部３７に出力する。さらに、処理部３６は、入力装置２６から調整実施状況の表示の指示を行うと、調整日時記録部３３に記録された調整日時を読み出し、調整状況表示制御部３８に出力する。また、処理部３６は、入力装置２６からキャリブレーション実施状況の表示の指示を行うと、キャリブレーション実施日時記録部３５に記録されたキャリブレーション実施日時を読み出し、調整状況表示制御部３８に出力する。
【００３６】
警告表示制御部３７は、判断部（判断手段）８０を有し、その判断部８０は、処理部３６から入力された、操作ボタンが操作された日時とその操作ボタンの直近の調整日時との時間差があらかじめ設定された時間以上か否かを判断する。警告表示制御部３７は、判断部８０によって、処理部３６から入力された、操作ボタンが操作された日時とその操作ボタンの直近の調整日時との時間差があらかじめ設定された時間以上と判断されたときに、警告等のメッセージを表示装置２７の画面に表示する。
【００３７】
また、警告表示制御部３７は、判断部８０によって、処理部３６から入力された、撮影プランが設定された日時とその撮影プランに対する直近のキャリブレーション日時との時間差があらかじめ設定された時間以上か否かを判断する。警告表示制御部３７は、判断部８０によって、処理部３６から入力された、撮影プランが設定された日時とその撮影プランに対する直近のキャリブレーション日時との時間差があらかじめ設定された時間以上と判断されたときに、警告等のメッセージを表示装置２７の画面に表示する。
【００３８】
上記の警告等のメッセージは、背景色、文字の表示色、文字の大きさ、アイコン、音等の任意の手段を組み合わせた警告表示でもよい。
【００３９】
調整状況表示制御部３８は、処理部３６から入力された、調整日時記録部３３に記録されている調整日時を表示装置２７に表示する。そのとき、操作ボタンの操作の実行頻度の高い順に調整日時を一覧表示するようにしてもよい。
【００４０】
また、調整状況表示制御部３８は、処理部３６から入力された、キャリブレーション実施日時記録部３５に記録されているキャリブレーション実施日時を表示装置２７に表示する。そのとき、撮影プランの設定頻度の高い順にキャリブレーション実施日時を表示するようにしてもよい。これにより、操作者が簡便にキャリブレーションされていない撮影プランを確認することが可能となる。
【００４１】
［動作の説明］
次に、基本的な処理の流れを示すために、図３の入力装置２６と表示装置２７を備えた表示画面を参照して、基本的な操作について説明する。
【００４２】
図３において、画面４０の左側には、Ｘ線ＣＴ装置の基本的な操作を行うための操作ボタンが配置されている。基本的な操作ボタンとして、予約を行う予約ボタン４１と、撮影を行うための撮影ボタン４２と、観察を行うための観察ボタン４３と、ファイルボタン４４と、管理を行うための管理ボタン４５と、終了するための終了ボタン４６がある。
【００４３】
予約ボタン４１が押されると、予約業務が開始する。予約業務では、検査を行う患者の基本情報として、患者ＩＤ、氏名、性別、生年月日、年齢、体重、身長、住所、連絡先などを入力・表示・修正するとともに、その患者に関する検査予約情報として、検査日時、検査場所、検査コメント、主治医などの情報を入力・表示・編集することができるようになっている。
【００４４】
撮影ボタン４２が押されると、撮影業務が開始する。撮影業務は、予約業務で登録された予約検査を実施するためのものである。図３の画面は、撮影ボタン４２が押されたときに表示される画面である。画面には、検査を行う患者基本情報や検査予約情報が枠４７に表示され、枠４８には、撮影プランが表示される。枠４９には、撮影画像が表示される。撮影プランボタン５０は、複数の撮影プランから１つの撮影プランを選択して枠４８に表示するためのボタンである。撮影プラン設定ボタン５１は、枠４８に表示されている撮影プランに設定するためのボタンであり、このボタンを操作することにより、撮影プランを設定することができる。Ｓｔａｒｔボタン５２は、撮影を開始するための操作ボタンであり、Ａｂｏｒｔボタン５３は撮影を中止するボタンである。
【００４５】
調整日時入力ボタン５４は、各操作ボタン（操作手段）に割り付けられた機能に係る要部の調整を行ったときの日時または、撮影プラン毎のキャリブレーションを実施したときの日時を入力するときのボタンである。この調整日時入力ボタンを操作することにより、調整日時とキャリブレーション実施日時を入力するための画面を画面４０に表示する。
【００４６】
ここで、各操作ボタン（操作手段）に割り付けられた機能に係る要部は、例えば、Ｓｔａｒｔボタン５２では、図１で示される高電圧発生装置１４と、Ｘ線源１５と、Ｘ線検出器１６と、データ収集装置１７と、回転架台１８と、架台駆動装置１９と、スキャン制御部２０と、前処理部２１と、Ｘ線投影データ記憶部２２と、再構成処理部２３と、画像記憶部２４と、画像処理部２５と、表示装置（表示手段）２７である。
【００４７】
調整状況表示ボタン５５は、図２で示された調整日時記録部３３に記録された調整日時を画面４０に表示するボタンである。この調整状況表示ボタン５５が操作されると、図２で示された処理部３６によって、調整日時記録部３３に記録された調整日時を読み出し、調整状況表示制御部３８に出力する。そして、調整状況表示制御部３８は、その調整日時を表示装置２７の画面に出力する。
【００４８】
図４は、そのとき画面４０に表示される調整日時の一覧表の一例を示す図である。一覧表５６は、欄５７に各操作ボタンの名称を示し、欄５８には、各操作ボタンの使用回数を示し、欄５９には、調整実施日が表示されている。また、次ページボタン６０は、この一覧表５６の次のページを表示するためのボタンである。さらに、操作画面へボタン６１は、図３で示される操作画面を表示するためのボタンである。
【００４９】
図３で示されたキャリブレーション実施状況表示ボタン６２は、図２で示されたキャリブレーション実施日時記録部３５に記録されたキャリブレーション実施日時を画面４０に表示するボタンである。このキャリブレーション実施状況表示ボタン６２が操作されると、図２で示された処理部３６によって、キャリブレーション実施日時記録部３５に記録されたキャリブレーション実施日時を読み出し、調整状況表示制御部３８に出力する。そして、調整状況表示制御部３８は、そのキャリブレーション実施日時を表示装置２７の画面に出力する。
【００５０】
図５は、そのとき画面４０に表示されるキャリブレーション実施日時の一覧表の一例を示す図である。一覧表６３は、欄６４に各撮影プラン番号を示し、欄６５には、撮影プラン名を示し、欄６６には、各撮影プランの使用回数を示し、欄６７には、キャリブレーション実施日が表示されている。また、次ページボタン６８は、この一覧表６３の次のページを表示するためのボタンである。さらに、操作画面へボタン６９は、図３で示される操作画面を表示するためのボタンである。
【００５１】
図３で示されるＳｔａｒｔボタン５２が操作された場合には、撮影開始が指示され、患者基本情報、検査予約情報、検査実施情報をもとに、撮影詳細条件を算出して撮影を行い、撮影データをもとに撮影画像を作成してその画像が作成されて枠４９に表示される。Ａｂｏｒｔボタン５３が操作された場合には、撮影を中止する。
【００５２】
観察ボタン４３が押されると、観察業務が開始する。観察業務は、過去に撮影した画像を表示するためのものである。ファイルボタン４４は、撮影した画像をネットワーク経由で外部の画像管理システムとやりとりしたり、イメージャやプリンタなどに画像を印刷したり、ＭＯＤやＤＶＤなどのオフラインメディアに対して撮影した画像に書き込みや読み出しを行うものである。管理ボタン４５は、医用診断装置の設定変更や点検・保守を行うためのものである。終了ボタン４６は、医用診断装置を終了させるためのボタンである。
【００５３】
次に、図３で示した装置の画面４０での操作ボタンが調整されてから所定の時間以上経過した場合の動作を説明する。
【００５４】
一例として、Ｓｔａｒｔボタン５２を操作したときに作動する機器の最新の調整が２００４年１０月１日に行われ、所定の時間として３０日とした場合に、Ｓｔａｒｔボタンを操作した日が２００４年１２月１日だったとする。そのとき、Ｓｔａｒｔボタン５２が操作されると、図２で示された使用日時記録部３２に２００４年１２月１日という使用日時が記録される。また、調整日時記録部３３には、２００４年１０月１日が記録されている。Ｓｔａｒｔボタン５２を操作することにより、処理部３６は、使用日時記録部３２に記録された日時と調整日時記録部３３に記録された最新の調整日時との差を演算する。その結果を警告表示制御部３７に出力する。警告表示制御部３７は、記憶された所定の日時と比較して、その差の方が大きいので、警告等のメッセージを表示装置２７に表示させる。
【００５５】
図６は、そのときの表示画面を示す図である。画面４０には、操作画面の画像を表示する枠上に警告文と調整日が記載されたテキストボックス７０が表示される。これにより、Ｓｔａｒｔボタンを押すことにより動作する機器の調整が必要なことを利用者に知らせることができる。
【００５６】
次に、図３で示した装置の画面でのある撮影プランに対してのキャリブレーションが実施されてから所定の時間以上経過した場合の動作を説明する。
【００５７】
一例として、その撮影プランに対する最新のキャリブレーションが２００４年１０月１日に行われ、所定の時間として３０日とした場合に、撮影プランを設定した日が２００４年１２月１日だったとする。そのとき、撮影プランが設定されると、図２で示された撮影プラン使用日時記録部３４に２００４年１２月１日という使用日時が記録される。また、キャリブレーション実施日時記録部３５には、２００４年１０月１日が記録されている。撮影プランを設定することにより、処理部３６は、撮影プラン使用日時記録部３４に記録された日時とキャリブレーション実施日時記録部３５に記録された最新のキャリブレーション実施日時との差を演算する。その結果を警告表示制御部３７に出力する。警告表示制御部３７は、記憶された所定の日時と比較して、その差の方が大きいので、警告等のメッセージを表示装置２７に表示させる。
【００５８】
図７は、そのときの表示画面を示す図である。画面４０には、操作画面の画像を表示する枠上に警告文とキャリブレーション実施日が記載されたテキストボックス７１が表示される。これにより、その撮影プランに対するキャリブレーションが必要なことを利用者に知らせることができる。
【００５９】
以上のように、本発明によれば、医用診断装置を構成する部品の使用状態に基づいて、今回実施する保守作業の作業メニュー（消耗部品の交換）を行った場合に、調整が行われなかったものについては、あるいは、キャリブレーションが長時間行われなかった場合は、それに関わる撮影が行われる前に、警告を表示することによって、画像にノイズが出ることを事前に防止することで、医用診断装置を適正に使用できる。
【００６０】
なお、本実施形態においては、医用診断装置として、Ｘ線ＣＴ装置を用いた例を示したが、Ｘ線ＣＴ以外の医用診断装置であるＭＲＩ装置やＸ線装置に適用することもできる。
【図面の簡単な説明】
【００６１】
【図１】本発明の実施形態に係る医用診断装置の構成図である。
【図２】本発明の実施形態に係る医用診断装置のメッセージ表示制御部のブロック構成図である。
【図３】本発明の実施形態に係る医用診断装置の操作画面を示す図である。
【図４】本発明の実施形態に係る医用診断装置の操作画面で調整状況表示ボタンを操作したときに表示される表示画面の一例である。
【図５】本発明の実施形態に係る医用診断装置の操作画面でキャリブレーション実施状況表示ボタンを操作したときに表示される表示画面の一例である。
【図６】本発明の実施形態に係る医用診断装置の警告等のメッセージを表示する画面の一例である。
【図７】本発明の実施形態に係る医用診断装置の警告等のメッセージを表示する画面の一例である。
【符号の説明】
【００６２】
１０        Ｘ線ＣＴ装置
１１        架台装置
１２        操作コンソール部
１３        寝台装置
１４        高電圧発生装置
１５        Ｘ線源
１６        Ｘ線検出器
１７        データ収集装置
１８        回転架台（ガントリ）
１９        架台駆動装置
２０        スキャン制御部（制御手段）
２１        前処理部
２２        Ｘ線投影データ記憶部
２３        再構成処理部
２４        画像記憶部
２５        画像処理部
２６        入力装置（入力手段）
２７        表示装置（表示手段）
２８        撮影プラン記憶部
２９        メッセージ表示制御部（メッセージ表示制御手段）
【図１】
2008220396.tif 000003
【図２】
2008220396.tif 000004
【図３】
2008220396.tif 000005
【図４】
2008220396.tif 000006
【図５】
2008220396.tif 000007
【図６】
2008220396.tif 000008
【図７】
2008220396.tif 000009